(57)【要約】【課題】被処理水に混入する浮遊物を、貯留槽内に流れ込む被処理水の流入量や、被処理水中の浮遊物の内容や含有量等の条件が変化しても、最適な状態で沈殿させて分離することができる貯留槽の仕切構造の提供。【解決手段】上流側水路と下流側水路の間に設けられた貯留槽を、被処理水中を浮遊する異物の通過を許容するように上下層に仕切る貯留槽の仕切構造１であって、仕切構造１には貯留槽の深さ方向中途部に設けられた傾斜板１３が設けられ、該傾斜板１３は水面に対して傾斜する傾斜面１７を上面側に有し、傾斜板１３を回転及び／又は移動可能に支持する調整支持部材３９を設けている。【選択図】　図１
2004105859.tif 000002
【特許請求の範囲】
【請求項１】
上流側水路と下流側水路の間に設けられた貯留槽を、被処理水中を浮遊する異物の通過を許容するように上下層に仕切る貯留槽の仕切構造であって、前記貯留槽の深さ方向中途部に設けられた傾斜板を備え、該傾斜板は水面に対して傾斜する傾斜面を上面側に有するものであり、傾斜板の一部又は全部を回転及び／又は移動可能に支持する調整支持部材を備えることを特徴とする貯留槽の仕切構造。
【請求項２】
上層と下層を連通させる開口が設けられ、前記傾斜板は該開口に向かって傾斜しており、被処理水中を浮遊する異物が前記傾斜板の傾斜面上に沿って下方に向かい、該開口を通過して上層から下層に沈殿できることを特徴とする請求項１に記載の貯留槽の仕切構造。
【請求項３】
傾斜板が深さ方向に複数並設されていることを特徴とする請求項１又は２に記載の貯留槽の仕切構造。
【請求項４】
所定の深さにおいて傾斜板が水平方向に複数設けられていることを特徴とする請求項３に記載の貯留槽の仕切構造。
【請求項５】
所定の深さの複数の傾斜板は、同一方向に傾斜して配置されていることを特徴とする請求項３又は４に記載の貯留槽の仕切構造。
【請求項６】
深さ方向に並設される複数の傾斜板は、上下に隣り合うもの同士が反対方向に互いに傾斜していることを特徴とする請求項３〜５のいずれかに記載の貯留槽の仕切構造。
【請求項７】
複数の傾斜板が傾斜面に沿って並設されて第１の傾斜板群を構成していることを特徴とする請求項１〜６のいずれかに記載の貯留槽の仕切構造。
【請求項８】
複数の傾斜板が傾斜面に沿って並設されて第２の傾斜板群を構成し、第１の傾斜板群の傾斜板の傾斜面と第２の傾斜板群の傾斜板の傾斜面とが反対方向に傾斜し、第１の傾斜板群と第２の傾斜板群が全体としてＶ字状に配置されることを特徴とする請求項７記載の貯留槽の仕切構造。
【請求項９】
隣接する傾斜板同士が重なり合う状態で傾斜板を維持できることを特徴とする請求項７又は８に記載の貯留槽の仕切構造。
【請求項１０】
第１の傾斜板群を構成する傾斜板は、可動範囲内を移動又は／及び回転可能であって中立位置を有しており、前記傾斜板が中立位置の場合には、傾斜面が同一平面上にないことを特徴とする請求項７〜９のいずれかに記載の貯留槽の仕切構造。
【請求項１１】
前記調整支持部材は、第１の傾斜板群を構成する複数の傾斜板全体が一体となって移動及び／又は回転可能に支持することを特徴とする請求項７〜１０のいずれかに記載の貯留槽の仕切構造。
【請求項１２】
傾斜板の下部側には上層と下層を連通させる下部開口が設けられ、傾斜板の上部側には上層と下層を連通させる上部開口が設けられ、深さ方向に並設された複数の傾斜板のうちの１つの上部開口又は下部開口と、該傾斜板の下側に隣接配置された傾斜板の上部開口又は下部開口とが上下に対向しており、この対向する開口の間に阻流体が設けられていることを特徴とする請求項１〜１１のいずれかに記載の貯留槽の仕切構造。
【請求項１３】
前記傾斜板を複数有し、前記調整支持部材は、該傾斜板が独立して回転及び／又は移動可能に支持することを特徴とする請求項１〜１２のいずれかに記載の貯留槽の仕切構造。
【請求項１４】
上流側水路と下流側水路の間に設けられた貯留槽を、被処理水中を浮遊する異物の通過を許容するように上下層に仕切る貯留槽の仕切構造であって、前記貯留槽の深さ方向中途部に設けられた傾斜板を備え、該傾斜板は水面に対して傾斜する傾斜面を上面側に有するものであり、傾斜板は傾斜面が貯留槽の側壁面に略垂直となるように配置されていることを特徴とする貯留槽の仕切構造。
【請求項１５】
傾斜板が水平方向に複数設けられ、同一方向に傾斜して配置されていることを特徴とする請求項１４に記載の貯留槽の仕切構造。
【請求項１６】
傾斜板が水平方向に複数設けられ、隣り合う傾斜板は反対方向に傾斜して配置されていることを特徴とする請求項１４に記載の貯留槽の仕切構造。
【請求項１７】
傾斜板の一部又は全部を回転及び／又は移動可能に支持する調整支持部材を備え、前記調整支持部材は外部から操作できることを特徴とする請求項１〜１６のいずれかに記載の貯留槽の仕切構造。
【請求項１８】
傾斜板の上方側縁又は下方側縁は鋭角状であることを特徴とする請求項１〜１７のいずれかに記載の貯留槽の仕切構造。
【請求項１９】
上流側水路と下流側水路の間に設けられて被処理水中を浮遊する異物の通過を許容するように上下層に仕切る貯留槽の仕切構造を有し、前記貯留槽の深さ方向中途部に設けられた傾斜板を備え、該傾斜板は水面に対して傾斜する傾斜面を上面側に有するものであり、さらに、上流側水路は分岐して被処理水が流入する上流側流入口を複数有し、前記上流側流入口は上層及び下層に設けられていることを特徴とする貯留槽。
【請求項２０】
上流側水路と下流側水路の間に設けられて被処理水中を浮遊する異物の通過を許容するように上下層に仕切る貯留槽の仕切構造を有し、前記貯留槽の深さ方向中途部に設けられた傾斜板を備え、該傾斜板は水面に対して傾斜する傾斜面を上面側に有するものであり、上流側水路から傾斜板に至るまでの間には上流側調整空間が設けられ、前記上流側調整空間には複数の開口部が設けられて、前記開口部は上層及び下層に設けられていることを特徴とする貯留槽。
【請求項２１】
前記開口部は、被処理水の流動方向を偏向させて整流作用を有するものであることを特徴とする請求項２０に記載の貯留槽。
【請求項２２】
前記上流側調整室の開口部は、深さ方向に複数設けられていることを特徴とする請求項２０又は２１に記載の貯留槽。
【請求項２３】
前記上流側調整空間の開口部は、幅方向の一部に設けられていることを特徴とする請求項２２に記載の貯留槽。
【請求項２４】
前記上流側調整空間には流路調整装置が設けられ、流路調整装置は上層側の開口部と下層側の開口部の間に位置し、上流側調整空間内の被処理水の水位を検知して開口部の流れを調整することを特徴とする請求項２０〜２３のいずれかに記載の貯留槽。
【請求項２５】
前記流路調整装置には開閉部が設けられ、浮力により開閉することを特徴とする請求項２４に記載の貯留槽。
【請求項２６】
前記上流側調整空間には落下水緩衝部が設けられ、被処理水が上流側調整空間内を落下する際に、被処理水が落下水緩衝部に接触して被処理水が着水する際の衝撃を緩和することを特徴とする請求項２０〜２５のいずれかに記載の貯留槽。
【発明の詳細な説明】
【０００１】
【従来の技術】
下水処理施設などの水処理施設は、水路を介して集められた下水などの被処理水の浄化処理を行う施設である。これらの水処理施設の中には、その上流側に貯留槽を付設したものがある。
この貯留槽は、深さ１０ｍを越える大容量の槽であり、上流側水路から貯留槽に流入した被処理水が貯留されつつ、下流側水路から水処理施設へ向けて流出する構造を有している。
【０００２】
この貯留槽は、被処理水に混入する落ち葉や砂などの浮遊物を沈殿させて分離する沈殿槽としての機能を有する。また、集中豪雨などに伴って一時に大量の被処理水が水処理施設へ流れ込むことを防止するための緩衝槽としての役割も担っている。更に、貯留された雨水は防災などに用いることもでき、非常用水の貯留槽としての機能をも有するものである。
このように、多目的に機能する貯留槽は、近年、水処理施設に付設されることが多い。
【０００３】
【発明が解決しようとする課題】
このような貯留槽では、被処理水に混入する浮遊物を沈殿させる能力をさらに大きくすることが期待されている。則ち、一旦沈殿した落ち葉や砂などが、上流側流入口から流入する被処理水の水流によって再び浮遊し、下流側水路から水処理施設側へ流出するような不具合を防止する必要がある。
そして、図３２に示すような、貯留槽１００の深さ方向の途中に仕切構造１０４を設けた貯留槽１００の仕切構造が考えられている。また、図３３に示されるような、上流側水路からの入り口である上流側流入口６１が仕切構造１０４の下側である貯留槽１００ａの仕切構造も考えられている。
【０００４】
貯留槽１００の仕切構造１０４は、複数の傾斜板１０３を有している。傾斜板１０３の上面には傾斜面１１０が設けられ、傾斜面１１０は水平に対して傾斜している。そして、傾斜面１１０の傾斜方向は、上流側流入口６１から下流側流出口６２に向かう方向であり、被処理水の主流方向に対して平行である。さらに、１対の傾斜板１０３が反対方向に傾斜してＶ字状となり、前記Ｖ字の谷部では、傾斜板１０３同士が接触しておらず、開口１０６となっている。
【０００５】
貯留槽１００では、被処理水が上流側流入口６１から流入すると、貯留槽１００内を通過して、下流側流出口６２から排出される（図３２中の太線矢印）。
また、被処理水中の浮遊物は、貯留槽１００内で流れる間に沈殿し、傾斜板１０３によって開口１０６に集められ、開口１０６から仕切構造１０４の下層部側へ移動する（図３２中の細線矢印）。そして、一旦沈殿した浮遊物は、仕切構造１０４によって上層部側へ移動しない。また、貯留槽１００の底には沈殿した異物などを外部に排出する排出路６４が形成されている。貯留槽１００ａは、貯留槽１００と比較して、上流側流入口６１の位置のみが異なる構造であり、貯留槽１００と同様に浮遊物を沈殿させるものである。
【０００６】
そして、上記の貯留槽１００、１００ａよりも、さらに被処理水中の浮遊物を沈殿させることが望まれている。
【０００７】
貯留槽が使用される際に、貯留槽内に流れ込む被処理水の流入量や、被処理水中の浮遊物の内容や含有量等の条件が変化することがある。傾斜板１０３の配置など仕切構造１０４を浮遊物が沈殿しやすいように最適に設計していても、前記条件が変化することにより、最適の状態が変化してしまう。そして本発明は、被処理水に混入する浮遊物を、貯留槽内に流れ込む被処理水の流入量や、被処理水中の浮遊物の内容や含有量等の条件が変化しても、最適な状態で沈殿させることが可能な貯留槽の仕切構造を提供することを課題とするものである。
【０００８】
また、貯留槽１００内に傾斜板１０３を設置する場合には、貯留槽１００の中途部に梁体などを設けて、その上に傾斜板１０３を配置していたため、設置するための費用が高価であった。そして本発明は、浮遊物を効率的に沈殿させることができ、貯留槽の中途部に梁体などを設けなくても、傾斜板が固定できる貯留槽の仕切構造の提供を課題とするものである。
【０００９】
さらに、貯留槽１００内に被処理水が少ない状態で上流側流入口６１から流入すると、被処理水が落下する際の衝撃により傾斜板１０３や貯留槽１００の内部が破損するおそれがあった。したがって、被処理水の落下衝撃に耐えうる強度にするために、傾斜板等の部材を厚みを増し、補強材を設けるなど高価な仕様が必要であった。
本発明は、浮遊物を効率的に沈殿させることができ、被処理水が落下による衝撃によって傾斜板や貯留槽内部が破損し難い安価な貯留槽を提供することを課題とするものである。
【００１０】
【課題を解決するための手段】
そして、上記した目的を達成するための請求項１は、上流側水路と下流側水路の間に設けられた貯留槽を、被処理水中を浮遊する異物の通過を許容するように上下層に仕切る貯留槽の仕切構造であって、前記貯留槽の深さ方向中途部に設けられた傾斜板を備え、該傾斜板は水面に対して傾斜する傾斜面を上面側に有するものであり、傾斜板の一部又は全部を回転及び／又は移動可能に支持する調整支持部材を備えることを特徴とする貯留槽の仕切構造である。
【００１１】
請求項１に記載の発明によれば、傾斜板の一部又は全部を回転及び／又は移動可能に支持する調整支持部材を備えているので、貯留槽内に流れ込む被処理水の流入量や、被処理水中の浮遊物の内容や含有量等の条件が変化した場合でも、傾斜板を最適な位置に回転及び／又は移動することができるので、最適な状態で沈殿させることができる。
【００１２】
請求項２に記載の発明は、上層と下層を連通させる開口が設けられ、前記傾斜板は該開口に向かって傾斜しており、被処理水中を浮遊する異物が前記傾斜板の傾斜面上に沿って下方に向かい、該開口を通過して上層から下層に沈殿できることを特徴とする請求項１に記載の貯留槽の仕切構造である。
ここで、開口は、仕切構造に有する貫通孔や隙間などであり、傾斜板に設けられている貫通孔、傾斜板同士の隙間、傾斜板と貯留槽の壁面との隙間などである。
【００１３】
請求項２に記載の発明によれば、貯留槽を使用して被処理水中の浮遊物が沈殿する際に、前記傾斜板の傾斜面上に沿って下方に向かい、さらに開口により上層から下層に移動することができるので、被処理水の浮遊物の分離が可能である。
【００１４】
請求項３に記載の発明は、傾斜板が深さ方向に複数並設されていることを特徴とする請求項１又は２に記載の貯留槽の仕切構造である。
【００１５】
請求項３に記載の発明によれば、複数の傾斜板が深さ方向に並設されている部分を有するので、より効率的に沈殿物の分離することができる。
【００１６】
請求項４に記載の発明は、所定の深さにおいて傾斜板が水平方向に複数設けられていることを特徴とする請求項３に記載の貯留槽の仕切構造である。
【００１７】
請求項４に記載の発明によれば、所定の深さにおいて傾斜板が水平方向に複数設けられているので、幅が長い貯留槽でも効率的に浮遊物の沈殿を行うことができる。
【００１８】
請求項５に記載の発明は、所定の深さの複数の傾斜板は、同一方向に傾斜して配置されていることを特徴とする請求項３又は４に記載の貯留槽の仕切構造である。
【００１９】
請求項５に記載の発明によれば、所定の深さの複数の傾斜板は、同一方向に傾斜して配置されているので、多くの傾斜板を設置することができ、効率的に浮遊物の沈殿を行うことができる。
【００２０】
請求項６に記載の発明は、深さ方向に並設される複数の傾斜板は、上下に隣り合うもの同士が反対方向に互いに傾斜していることを特徴とする請求項３〜５のいずれかに記載の貯留槽の仕切構造である。
【００２１】
請求項６に記載の発明によれば、深さ方向に並設される複数の傾斜板は、上下に隣り合うもの同士が反対方向に互いに傾斜しているので、効率的に浮遊物の沈殿を行うことができる。
【００２２】
請求項７に記載の発明は、複数の傾斜板が傾斜面に沿って並設されて第１の傾斜板群を構成していることを特徴とする請求項１〜６のいずれかに記載の貯留槽の仕切構造である。
【００２３】
請求項７に記載の発明によれば、複数の傾斜板が傾斜面に沿って並設されているので、貯留槽を使用した場合には、被処理水中の浮遊物が沈殿する際に、前記傾斜板の傾斜面上に沿って下方に向かって沈殿させることができる。
【００２４】
請求項８に記載の発明は、複数の傾斜板が傾斜面に沿って並設されて第２の傾斜板群を構成し、第１の傾斜板群の傾斜板の傾斜面と第２の傾斜板群の傾斜板の傾斜面とが反対方向に傾斜し、第１の傾斜板群と第２の傾斜板群が全体としてＶ字状に配置されることを特徴とする請求項７記載の貯留槽の仕切構造である。
【００２５】
請求項８に記載の発明によれば、複数の傾斜板が傾斜面に沿って並設された第１及び第２の傾斜板群によって、全体としてＶ字状に配置されているので、貯留槽を使用し、被処理水中の浮遊物が沈殿する際に、前記傾斜板の傾斜面上に沿ってＶ字の谷部に向かって沈殿させることができる。
【００２６】
請求項９に記載の発明は、隣接する傾斜板同士が重なり合う状態で傾斜板を維持できることを特徴とする請求項７又は８に記載の貯留槽の仕切構造である。
【００２７】
請求項９に記載の発明によれば、隣接する傾斜板同士が重なり合う状態で傾斜板を維持できるので、貯留槽の仕切構造の開口部分を少なくすることができ、
また、前記調整支持部材により、傾斜板の重なり合う部分を回転及び／又は移動することにより容易に開口を設けることができる。
【００２８】
請求項１０に記載の発明は、第１の傾斜板群を構成する傾斜板は、可動範囲内を移動又は／及び回転可能であって中立位置を有しており、前記傾斜板が中立位置の場合には、傾斜面が同一平面上にないことを特徴とする請求項７〜９のいずれかに記載の貯留槽の仕切構造である。
ここで、傾斜板の可動範囲内の中立位置とは、傾斜板が通常状態の位置のことである。
【００２９】
請求項１０に記載の発明によれば、第１の傾斜板群を構成する傾斜板が中立位置の場合に、傾斜面が同一平面上にはないので、傾斜板同士の間には深さ方向の隙間ができるので容易に開口を設けることができる。
【００３０】
請求項１１に記載の発明は、前記調整支持部材は、第１の傾斜板群を構成する複数の傾斜板全体が一体となって移動及び／又は回転可能に支持することを特徴とする請求項７〜１０のいずれかに記載の貯留槽の仕切構造である。
【００３１】
請求項１１に記載の発明によれば、第１の傾斜板群を構成する複数の傾斜板全体が一体となって移動及び／又は回転可能に支持できるので、第１の傾斜板群全体の角度及び位置を変えることができる。
【００３２】
請求項１２に記載の発明は、傾斜板の下部側には上層と下層を連通させる下部開口が設けられ、傾斜板の上部側には上層と下層を連通させる上部開口が設けられ、深さ方向に並設された複数の傾斜板のうちの１つの上部開口又は下部開口と、該傾斜板の下側に隣接配置された傾斜板の上部開口又は下部開口とが上下に対向しており、この対向する開口の間に阻流体が設けられていることを特徴とする請求項１〜１１のいずれかに記載の貯留槽の仕切構造である。
【００３３】
請求項１２に記載の発明によれば、深さ方向に並設された複数の傾斜板のうちの１つの上部開口又は下部開口と、該傾斜板の下側に隣接配置された傾斜板の上部開口又は下部開口とが上下に対向しており、この対向する開口の間に阻流体が設けられているので、開口部分の被処理水の流れが阻流体により阻まれるので、開口部分の被処理水の流れが流れにくくなり、浮遊物が沈殿しやすくなる。
【００３４】
請求項１３に記載の発明は、前記傾斜板を複数有し、前記調整支持部材は、該傾斜板が独立して回転及び／又は移動可能に支持することを特徴とする請求項１〜１２のいずれかに記載の貯留槽の仕切構造である。
【００３５】
請求項１３に記載の発明によれば、傾斜板が独立して回転及び／又は移動可能に支持することができるので、より多くの種類の傾斜板の配置が可能となる。
【００３６】
請求項１４に記載の発明は、上流側水路と下流側水路の間に設けられた貯留槽を、被処理水中を浮遊する異物の通過を許容するように上下層に仕切る貯留槽の仕切構造であって、前記貯留槽の深さ方向中途部に設けられた傾斜板を備え、該傾斜板は水面に対して傾斜する傾斜面を上面側に有するものであり、傾斜板は傾斜面が貯留槽の側壁面に略垂直となるように配置されていることを特徴とする貯留槽の仕切構造である。
【００３７】
請求項１４に記載の発明によれば、傾斜板は傾斜面が貯留槽の側壁面に略垂直となるように配置されているので、傾斜板の両側の側縁を貯留槽の両方の側壁に固定することにより、貯留槽の中途部に梁体など設けることなく、傾斜板を設置することができる。
【００３８】
請求項１５に記載の発明は、傾斜板が水平方向に複数設けられ、同一方向に傾斜して配置されていることを特徴とする請求項１４に記載の貯留槽の仕切構造である。
【００３９】
請求項１５に記載の発明によれば、傾斜板は同一方向に傾斜して配置されているので、多くの傾斜板を設置することができ、浮遊物の沈殿を効率的に行うことができる。
【００４０】
請求項１６に記載の発明は、傾斜板が水平方向に複数設けられ、隣り合う傾斜板は反対方向に傾斜して配置されていることを特徴とする請求項１４に記載の貯留槽の仕切構造である。
【００４１】
請求項１６に記載の発明によれば、隣り合う傾斜板が反対方向に傾斜するように水平方向に複数設けられて配置されているので、効率的に浮遊物の沈殿を行うことができる。
【００４２】
請求項１７に記載の発明は、傾斜板の一部又は全部を回転及び／又は移動可能に支持する調整支持部材を備え、前記調整支持部材は外部から操作できることを特徴とする請求項１〜１６のいずれかに記載の貯留槽の仕切構造である。
【００４３】
請求項１７に記載の発明によれば、調整支持部材は外部から操作できるので、貯留槽が使用中であっても、傾斜板の回転及び／又は移動を容易に行うことができる。
【００４４】
請求項１８に記載の発明は、傾斜板の上方側縁又は下方側縁は鋭角状であることを特徴とする請求項１〜１７のいずれかに記載の貯留槽の仕切構造である。
ここで、「鋭角状」とは、傾斜板の上方側縁から下側に向かって、又は下方側縁から上側に向かって徐々に厚みが大きくなり、さらに傾斜板の上方側縁又は下方側縁の付近の両面の相対角度が９０°以下であることを示す。したがって、上方側縁又は下方側縁の先が尖っていることは必要でなく、先が曲面状であっても良い。
【００４５】
請求項１８に記載の発明によれば、上方側縁又は下方側縁が鋭角状であるので、傾斜板の上方又は下方での表面抵抗を押さえつつ、幅を厚くすることができるので、長手方向の曲げ剛性を高くすることができる。また、傾斜板の上方側縁が鋭角状である場合には、上方側縁に浮遊物が堆積することがない。
【００４６】
請求項１９に記載の発明は、上流側水路と下流側水路の間に設けられて被処理水中を浮遊する異物の通過を許容するように上下層に仕切る貯留槽の仕切構造を有し、前記貯留槽の深さ方向中途部に設けられた傾斜板を備え、該傾斜板は水面に対して傾斜する傾斜面を上面側に有するものであり、さらに、上流側水路は分岐して被処理水が流入する上流側流入口を複数有し、前記上流側流入口は上層及び下層に設けられていることを特徴とする貯留槽である。
【００４７】
請求項１９に記載の発明によれば、上流側水路は分岐して被処理水が流入する上流側流入口を複数有し、前記上流側流入口は上層及び下層に設けられているので、貯留槽に被処理水が溜まっていないときには、下層側の上流側流入口から被処理水を流入させ、被処理水が溜まって水位が上昇しすると上層側の上流側流入口から被処理水が流入させることができる。したがって、被処理水が溜まっていないときには下層側の上流側流入口から流入させて上層側の上流側流入口から流入を少なくすることができ、被処理水が落下による衝撃による傾斜板や貯留槽内部が破損を防止することができる。
【００４８】
請求項２０に記載の発明は、上流側水路と下流側水路の間に設けられて被処理水中を浮遊する異物の通過を許容するように上下層に仕切る貯留槽の仕切構造を有し、前記貯留槽の深さ方向中途部に設けられた傾斜板を備え、該傾斜板は水面に対して傾斜する傾斜面を上面側に有するものであり、上流側水路から傾斜板に至るまでの間には上流側調整空間が設けられ、前記上流側調整空間には複数の開口部が設けられて、前記開口部は上層及び下層に設けられていることを特徴とする貯留槽である。
【００４９】
請求項２０に記載の発明によれば、上層及び下層に設けられた複数の開口部が設けられた上流側調整空間を有しているので、被処理水が溜まっていないときには下層側の開口部から流入させて上層側の開口部から流入を少なくすることができ、被処理水が落下による衝撃によって傾斜板や貯留槽内部が破損を防止することができる。
【００５０】
請求項２１に記載の発明は、前記開口部は、被処理水の流動方向を偏向させて整流作用を有するものであることを特徴とする請求項２０に記載の貯留槽である。
【００５１】
請求項２１に記載の発明によれば、前記開口部は、被処理水の流動方向を偏向させて整流作用を有するので、より効率的に浮遊物の沈殿させるように被処理水が流れるようにすることができる。
【００５２】
請求項２２に記載の発明は、前記上流側調整室の開口部は、深さ方向に複数設けられていることを特徴とする請求項２０又は２１に記載の貯留槽である。
【００５３】
請求項２２に記載の発明によれば、上流側調整室の開口部は深さ方向に複数設けられているので、上流側調整室に流れ込んだ被処理水の水位に合わせて、上流側調整室の開口部から流出する被処理水の流出量を調節できる。
【００５４】
請求項２３に記載の発明は、前記上流側調整空間の開口部は、幅方向の一部に設けられていることを特徴とする請求項２２に記載の貯留槽である。
【００５５】
請求項２３に記載の発明によれば、少ない開口部で被処理水の流出量の調整が可能である。
【００５６】
請求項２４に記載の発明は、前記上流側調整空間には流路調整装置が設けられ、流路調整装置は上層側の開口部と下層側の開口部の間に位置し、上流側調整空間内の被処理水の水位を検知して開口部の流れを調整することを特徴とする請求項２０〜２３のいずれかに記載の貯留槽である。
【００５７】
請求項２４に記載の発明によれば、流路調整装置により被処理水の水位を検知して開口部の流れを調整することができるので、より確実に上層側の開口部から被処理水の流入を少なくすることができる。
【００５８】
請求項２５に記載の発明は、前記流路調整装置には開閉部が設けられ、浮力により開閉することを特徴とする請求項２４に記載の貯留槽である。
【００５９】
請求項２５に記載の発明によれば、流路調整装置には浮力により開閉する開閉部が設けられており、複雑な構造とすることなく流路調整装置を設けることができる。
【００６０】
請求項２６に記載の発明は、前記上流側調整空間には落下水緩衝部が設けられ、被処理水が上流側調整空間内を落下する際に、被処理水が落下水緩衝部に接触して被処理水が着水する際の衝撃を緩和することを特徴とする請求項２０〜２５のいずれかに記載の貯留槽である。
【００６１】
請求項２６に記載の発明によれば、被処理水が上流側調整空間内を落下する際に、被処理水が落下水緩衝部に接触して被処理水が着水する際の衝撃を緩和するので、上流側調整空間の底面に被処理水の落下の際の衝撃を軽減することができる。
【００６２】
【発明の実施の形態】
以下さらに本発明の具体的実施例について説明する。図１は、本発明の第１の実施形態における仕切構造を拡大した斜視図である。図２は本発明の第１の実施形態における仕切構造の上側から見た正面図である。図３は、図２におけるＡ−Ａ面での断面図である。図４は、本発明の第１の実施形態における仕切構造の横断面図である。図５は本発明の第２の実施形態における仕切構造の横断面図である。図６は本発明の第１の実施形態の仕切構造の傾斜板群を示した横断面図である。図７は本発明の仕切構造の第２の傾斜板群を示した横断面図である。図８は本発明の仕切構造の第３の傾斜板群を示した横断面図である。図９は本発明の仕切構造の第４の傾斜板群を示した横断面図である。図１０は本発明の仕切構造の第５の傾斜板群を示した横断面図である。図１１は本発明の第３の実施形態における仕切構造の横断面図である。図１２は本発明の第４の実施形態における仕切構造の横断面図である。図１３は本発明の傾斜板の断面図である。図１４は本発明の調整支持部材を示した斜視図である。図１５は傾斜板の回転の軸の位置を示した断面図である。図１６は、本発明の第５の実施形態の仕切構造を示した斜視図である。図１７は本発明の第６の実施形態の仕切構造を示した斜視図である。図１８は本発明の第５の実施形態の仕切構造の傾斜板を側壁面側から見た断面図である。図１９，図２０は本発明の第５の実施形態の変形例における仕切構造の傾斜板を側壁面側から見た断面図である。図２１〜２６は本発明の第７〜１２の実施形態の貯留槽を側壁面から見た断面図である。図２７は本発明の第１１の実施形態の貯留槽の傾斜板を下流側流出口側から見た断面図である。図２８は本発明の第１１の実施形態の変形例における貯留槽の傾斜板を下流側流出口側から見た断面図である。図２９〜３１は本発明の実施形態の貯留槽の斜視図である。
【００６３】
本発明の第１の実施形態における仕切構造１を有する貯留槽１１は、図３２に示された従来技術の貯留槽１００と同様であり、仕切構造１０４だけが異なる。すなわち、貯留槽１１は、上流側水路につながって下水などの被処理水が流入する上流側流入口６１と、下流側水路につながって被処理水を水処理施設に供給する下流側流出口６２との間に設けられており、大量の水を貯めることができるように所定深さに形成されている。さらに、貯留槽１１の底には、沈殿した異物などを外部に排出する排出路６４が形成されている。そして、仕切構造１は貯留槽１１を上層１８と下層１９に仕切っている。また、仕切構造１は、下流側流出口６２よりも下方に設けられている。本発明の上流側流入口６１の位置は仕切構造１よりも上方であって上層１８側に設けられていても良く、下方であって下層１９側に設けられていても良く、中間に位置して上層１８と下層の境界付近に設けられていても良い。さらに、後述するように複数設けても良い。
そして、仕切構造１によって、下層１９側に移動した浮遊物は仕切られているので、一旦下層１９側に沈殿した浮遊物が上層側には戻りにくい構造となっている。
なお、本発明においては、上流側流入口６１から下流側流出口６２に向かう方向を主流方向、主流方向と垂直であって水平な方向を左右方向、主流方向及び左右方向に垂直な方向を深さ方向として説明する。
【００６４】
本実施形態における仕切構造１は、図１〜図４に示されている。
本実施形態の仕切構造１は、複数の傾斜板１３と複数の梁体２０が設けられ、各傾斜板１３は、調整支持部材３９により梁体２０に固定されている。
【００６５】
傾斜板１３は、通常、長方形の板状であり、貯留槽１１の深さ方向中途部に設けられ、貯留槽１１を上層１８と下層１９に仕切っている。各傾斜板１３の傾斜面１７は水面に対して傾斜しており、また傾斜面１７は、主流方向と略平行である。
【００６６】
複数の梁体２０は、長尺状であり、その長尺方向は左右方向であり水平である。そして、各梁体２０は貯留槽１１の深さ方向の中途部で側壁面２１と接続している。各梁体２０の深さ方向の位置は同じである。
【００６７】
そして、傾斜板１３の貯留槽１１への固定は、図１に示されるように、調整支持部材３９によって梁体２０に支持されて行われる。なお、調整支持部材３９の構造は、図１に示された特定のものに限られず、適宜公知の他の機構を用いても良い。そして、調整支持部材３９は、軸支持部材４０と移動支持部材４１を有している。
図１には、仕切構造１の上端の傾斜板１３のみを図示しているが、他の傾斜板１３も同様に調整支持部材３９で、梁体２０に固定されている。
【００６８】
軸支持部材４０は軸孔５９ａを有しており、また、移動支持部材４１は長孔４２が設けられている。軸支持部材４０及び移動支持部材４１はボルト５８により梁体２０に固定されている。
傾斜板１３の側面には固定ピン４５及び移動ピン４３が設けられている。固定ピン４５は、軸孔５９ａに挿入され、移動ピン４３は長孔４２に挿入される。そうして、傾斜板１３は調整支持部材３９により支持されている。
【００６９】
長孔４２の形状は円弧状である。そして、軸支持部材４０と移動支持部材４１とを梁体２０に固定した状態では、長孔４２の円弧状の中心は、軸孔５９ａの中心に位置している。
したがって、移動軸部材４３を長孔４２の孔の任意の位置に挿入して固定することにより、傾斜板１３を軸孔５９ａを中心として回転でき、傾斜板１３の傾斜面１７の傾斜角度を変更することができる。
【００７０】
第１の実施形態における仕切構造１は、図４に示されるように、複数の傾斜板群５０を有している。仕切構造１の傾斜板群５０は、複数の傾斜板１３により構成され、同一方向に略同一の傾斜角度で傾斜し、各傾斜板１３の傾斜面１７がほぼ同一の平面となっている。そして、仕切構造１の傾斜板群５０は、３枚の傾斜板１３により構成されており、また、仕切構造１には上下２段の傾斜板群５０が設けられている。また、傾斜板群５０の傾斜板１３同士には隙間７４を有している。隙間７４は、上層１８と下層１９を連通させる開口となるものである。
本実施形態の傾斜板群５０は、図６に示されるように、中立位置では傾斜板１３同士が同一平面上に位置しており、また、隙間７４は小さい。
【００７１】
さらに、仕切構造１の傾斜板群５０は、左右方向に並設され、傾斜板群５０の傾斜面１７が反対方向に傾斜してＶ字状となっている。
１対の傾斜板群５０のＶ字の谷部では、傾斜板１３同士が接触せず、傾斜板群５０の下側同士は左右に離れて隙間７１を有している。また、傾斜板群５０の上側と貯留槽１１の側壁面２１との間は隙間７２を有している。そして、隙間７１，７２により、上層１８と下層１９とが連通している。
さらに、前記したＶ字状となった１対の傾斜板群５０が複数有し、深さ方向に並設されている。
【００７２】
第１の実施形態における仕切構造１の各傾斜板１３は、軸孔５９ａを軸として回転して、傾斜板１３の位置を変更することができる。図４〜図１２においては、傾斜板１３の実線部は中立の位置であり、破線部は、回転又は移動によって可能である位置の例を示したものである。また、傾斜板１３の位置の変更は各傾斜板１３ごとに行うことができる。また、本発明の実施形態における仕切構造の傾斜板１３の回転軸の位置は、図１５（ａ）に示されるように、傾斜板１３の上側でもよく、図１５（ｂ），（ｃ）に示されるように、傾斜板１３の中央付近や下側でも良い。
傾斜板１３の位置の変更は、長孔４２に固定されている移動ピン４３の位置を変えることにより行われる。また、傾斜板１３の位置の変更は各傾斜板１３ごとに行うことができる。
【００７３】
上記の仕切構造１を使用し、貯留槽１１内の被処理水の条件に応じて傾斜板１３の回転及び／移動を行うことにより、傾斜板１３を最適な配置にすることができるので、被処理水の浮遊物の沈殿を効率よく行うことができる。すなわち、傾斜板１３の位置が変更を行うことで、被処理水の流れが変わって、下層１９での流れが弱くなって下層１９に沈殿している浮遊物の巻き上がりを防止する。また、傾斜板１３の位置の変更により、傾斜板１３同士の隙間７４の大きさを変えることができるので、隙間７１から被処理水が下層１９に流入し、傾斜板１３の裏側を上昇して隙間７４から再び上層１８に被処理水が至る間に浮遊物の沈殿が可能となり、より多くの浮遊物が沈殿して浮遊物の分離が可能となる。
【００７４】
また、図５に示される本発明の第２の実施形態における仕切構造２のように、傾斜板群５０ａの傾斜板１３の配置が、ずれていても良い。すなわち、本発明の第１の実施形態における仕切構造１では、中立位置で傾斜板群５０の傾斜面１７が同一平面上であったが、仕切構造２では傾斜面１７が同一平面上でなく、わずかに平行移動している。また、仕切構造２は、傾斜板群５０ａの傾斜板１３の配置以外は、仕切構造１と同様である。
仕切構造２の傾斜板群５０ａでは、傾斜板群５０の傾斜板１３同士の隙間７４を深さ方向に設けることが可能となり、隙間７４を大きくすることができる。
【００７５】
本発明で採用される傾斜板群は、上記した仕切構造１，２の傾斜板群５０，５０ａだけでなく、図７〜１０に示される傾斜板１３の傾斜方向に複数並設された傾斜板群５０ｂ，５０ｃ，５０ｄ，５０ｅも採用することができる。
【００７６】
傾斜板群５０ｂは、図７に示されるものであり、傾斜板１３同士の隙間７４が大きいものである。そして、傾斜板１３が中立位置であっても、隙間７４が十分大きく、上層１８と下層１９を連通する開口となる。さらに、傾斜板１３を移動支持装置によって回転させて、隙間７４をより大きくすることができる。
また、傾斜板群５０ｂは、中立位置では、傾斜板群５０の傾斜板１３は、同一方向に略同一の傾斜角度で傾斜し、傾斜板１３同士が同一平面上に位置している。
【００７７】
傾斜板群５０ｃは、図８に示されるものであり、傾斜板群５０ｃが一体で回転可能なものである。すなわち、傾斜板群５０ｃに用いられる調整支持部材（図示せず）は、上記した第１の実施形態の仕切構造１の傾斜板１３のように、傾斜板１３ごとに回転させるだけでなく、傾斜板群５０ｃ全体が一体となって回転させることができる。傾斜板群５０ｃに用いられる調整支持部材の例としては、フレーム状の支持部材に傾斜板群５０ｃの全ての傾斜板１３を回転可能に支持し、さらにフレーム状の支持部材が梁体２０に回転可能に支持している構造である。
傾斜板群５０ｃを用いると、傾斜板群５０ｃ全体の角度及び位置を変えることができ、複雑な配置とすることができる。
【００７８】
傾斜板群５０ｄ及び傾斜板群５０ｅは、いずれも上下に隣接する傾斜板１３同士が重なり合うものである。
傾斜板群５０ｄは、図９に示されるように、中立位置では、上側の傾斜板１３の下側側縁が、隣接する下側の傾斜板１３の上側側縁の上部に重なり接触している。また、傾斜板群５０ｅは、図１０に示されるように、中立位置では、上側の傾斜板１３の下側側縁が、隣接する下側の傾斜板１３の上側側縁の下部に重なり接触している。したがって、傾斜板群５０ｄ，５０ｅの傾斜板１３同士が密着して隙間７４を限りなく小さくすることができる。
特に、傾斜板群５０ｄでは、中立位置で上側の傾斜板１３が下側の傾斜板１３に支えることができ、中立位置で傾斜板１３を支持しやすい。また、傾斜板群５０ｅでは、傾斜板１３を上方に回転させて、傾斜板１３同士の間に隙間７４を設けることができ、浮遊物の沈殿が容易となる。
【００７９】
また、図１１に示される本発明の第３の実施形態における仕切構造３も採用することができる。すなわち、仕切構造３は、回転可能な傾斜板１３が深さ方向に並設され、また、傾斜板１３が所定の深さにおいて複数並設され、さらに阻流体９０が設けられている。
ここで阻流体９０は、仕切構造３の開口付近に設けられて、開口における被処理水の流れを変化させるものであり、被処理水の流れを阻害し、流れを迂回させるものである。
図１１に示される仕切構造３は、上記した実施形態と同様に傾斜板１３は回転が可能であり、また、左右方向に並設されてＶ字状となった対の傾斜板１３が、さらに左右方向に２対並設され、Ｗ字状となっている。Ｗ字状となった２対の傾斜板１３が、深さ方向に３段に並設されている。
傾斜板１３の山部付近、及び傾斜板１３の上方と側壁面２１との間には上側隙間７７が、傾斜板１３の谷部付近、及び傾斜板１３の下方と側壁面２１との間には下側隙間７６が設けられている。そして、上側隙間７７は本発明における上部開口となるものであり、また、下側隙間７６は本発明における下部開口となるものである。
【００８０】
さらに、仕切構造３は、上下層１８，１９を連通させる開口付近に阻流体９０を設けられている。阻流体９０の断面は正方形である。また、阻流体９０は側面を水平に対して４５°傾いて配置している。
仕切構造３の阻流体９０の位置は、傾斜板１３の下側隙間７６と、当該傾斜板１３の下側隙間７６との間に配置されている。そして、前記下側隙間７６，７６の開口の向きは深さ方向であり、前記下側隙間７６，７６の開口の向きは対向している。
また、阻流体９０は傾斜板１３の上側隙間７７と、当該傾斜板１３の上側隙間７７同士の間にも設けることができる。
【００８１】
仕切構造３では、水平方向に複数有しているので、傾斜板１３の傾斜方向の長さを短いものを使用して、Ｖ字状、Ｗ字状等の「ジグザク状」に設けて、仕切ることにより、仕切構造３の深さ方向の長さを長くすることなく仕切構造３を設けることができる。また、仕切構造３が設けられた貯留槽１１が使用された場合には、阻流体９０により、当該下側隙間７６の一方から他方への流れを阻害して、流れを迂回させるので、貯留槽１１の使用時に、被処理水の流れの向きが深さ方向となりにくく、下層１９での被処理水の巻き上がりが起こりにくく、浮遊物が上昇しにくい。
【００８２】
阻流体の形状は、阻流体９０のように断面が正方形でなくても良く、上側が傾斜して、浮遊物が堆積しないことが望ましい。
【００８３】
また、図１２に示される本発明の第４の実施形態における仕切構造４も採用することができる。すなわち、仕切構造４は、回転可能な傾斜板１３が深さ方向に並設され、また、傾斜板１３は所定の深さにおいて同一方向に傾斜して複数並設されているものである。
仕切構造４は、左右方向に同一方向に傾斜した複数の傾斜板１３が並設されている。したがって、多くの傾斜板１３を設けることができる。そして、深さ方向にも複数の傾斜板１３が並設されている。深さ方向に並設されている複数の傾斜板１３の傾斜の向きは、互いに反対方向であり、被処理水の流れの向きが深さ方向となりにくく、下層１９での被処理水の巻き上がりが起こりにくく、浮遊物が上昇しにくい。
【００８４】
また、傾斜板の断面形状は、図１３に示される傾斜板１３ａ，１３ｂ，１３ｃ，１３ｄ，１３ｅ，１３ｆのような形状でも良く、これらの断面形状は上側又は下側が鋭角状であり、傾斜板１３ａ，１３ｂ，１３ｃ，１３ｄ，１３ｅ，１３ｆの上方側縁１４又は下方側縁１５は鋭角状となっている。そして、傾斜板１３ａ，１３ｃ，１３ｄ，１３ｆは略三角形状であり、また傾斜板１３ｂ，１３ｅは略平行四辺形である。傾斜板１３ａ，１３ｂ，１３ｃ，１３ｄ，１３ｅ，１３ｆを貯留槽１１に用いることにより、傾斜板１３の上方又は下方での表面抵抗を押さえつつ、幅を厚くすることができるので、長手方向の曲げ剛性を高くすることができる。また、傾斜板１３の上方側縁１４は鋭角状である場合には、上方側縁１４に浮遊物が堆積することがない。
傾斜板１３ａ，１３ｂ，１３ｃ，１３ｄ，１３ｅ，１３ｆの傾斜面１７は平面状であって窪み部分がないので、貯留槽１１の使用時には浮遊物が堆積することはない。
【００８５】
上記した仕切構造の傾斜板１３の素材は特に限定されず、木材、塩化ビニル樹脂やアクリル樹脂等の硬質プラスチック、繊維強化プラスチック（ＦＲＰ）、アルミニウムやＳＵＳ製板等の金属板などを用いることができるが、浸水時に大きな浮力を受けることによって梁体２０などの負荷を軽減できることから、水より比重が軽い素材が好ましく、更に、易施工性をも有する点で木材や樹脂製合成木材が好ましい。施工性や水による腐食を防止できる点から、軽量で且つ耐食性を有する樹脂製合成木材が好ましい。
【００８６】
さらに、傾斜板１３の素材は、繊維維強化樹脂であり、発泡樹脂が好ましい。発泡樹脂の種類としては、例えば、ウレタン樹脂、エポキシ樹脂、ビニルエステル樹脂、不飽和ポリエステル樹脂、フェノール樹脂等の熱硬化性樹脂であって硬質のものが好適に使用される。なお、発泡樹脂中に、圧縮強度の向上や低コスト化を図るために、炭酸カルシウム、石膏、タルク、水酸化アルミニウム、クレー等の無機充填材や、シラスバルーン、パーライト、ガラスバルーン等の軽量骨材が添加されていてもよい。
また、発泡体を補強する繊維としては、例えば、ガラス繊維、炭素繊維、金属繊維等の無機質繊維、天然繊維、合成繊維等の有機質繊維のいずれであってもよいが、強度や経済性の面からガラス繊維が適している。ガラス繊維としては、ガラスロービング、ガラスロービングクロス、ガラスマット、コンティニュアスストランドマット等の形態のものが挙げられる。この繊維は単独で使用してもよいし、二層以上積層してもよく、また、長繊維と短繊維を混ぜて使用してもよい。なお、ガラス長繊維を長手方向に引き揃えて補強繊維とした、ガラス長繊維強化硬質ウレタン発泡体（例えば、積水化学工業株式会社製、商品名「エスロンネオランバーＦＦＵ」など）を採用するのが、軽量化、耐久性および加工性の確保のために最も好ましい。
【００８７】
また、傾斜板１３の傾斜面１７は、異物の移動性及び被処理水の整流効果の点から平滑面に形成されている。更に、傾斜板１３の傾斜面１７にフィルムを貼着したり或いはＦＲＰ樹脂などの樹脂を被覆するなどの手段によって、傾斜板１３の傾斜面１７に異物に対する抵抗が小さいオーバーコート層を設けることが、傾斜板１３の傾斜面１７の平滑性をより高めることができるので好ましい。
【００８８】
上記した第１の実施形態における仕切構造１の梁体２０は、比較的強度を有する素材、例えば、コンクリート、鉄骨、木材などの素材で構成することができるが、傾斜板１３などの仕切構造材を根本的に支持するものであって浸水するものであるため、コンクリートで構成することが好ましい。
また、梁体２０の長尺の方向は、左右方向に平行な方向であったが、これに限らず上下方向、左右方向、深さ方向のいずれの方向に傾斜を有しても良い。
【００８９】
また、上記した実施形態においては、梁体２０によって、傾斜板１３を支持するものであったが、梁体２０に限られるものでなく、他の部材でも良い。例えば、側壁面２１に固定された枠組部材などによって、傾斜板１３を固定してもよく、かかる場合には、梁体２０がなくても、仕切構造を設けることができる。
【００９０】
上記した仕切構造の調整支持部材３９による傾斜板１３の可動は、回転だけでも良く、移動だけでも良く、回転と移動を組み合わせたものでも良い。また、すべての傾斜板１３を回転・移動させても良く、また、一部の傾斜板１３のみを回転・移動させるものでも良い。
【００９１】
上記した仕切構造の調整支持部材３９の移動支持部材４１は、一方に長孔４２を設けられているものであったが、これに限らず、回転又は／及び移動可能に移動・支持できるものであれば良く、適宜公知のものを用いることができる。例えば、先端が傾斜板１３に固定されたロープを用い、適当な長さで支持できるものや、リンク機構によって行っても構わない。
【００９２】
上記具体例である調整支持部材５２は、図１４に示されており、チエーン５３、歯車５４及びウォーム歯車５５により構成されている。ウォーム歯車５５には回転操作部５５ａが設けられ、歯車５４は傾斜板１３に対応するように設けられ、歯車５４の軸は傾斜板１３の軸部５６と連結している。そして、回転操作部５５ａを回転させると、ウォーム歯車５５が回転し、チエーン５３によって各傾斜板１３に設けられた歯車５４が同じ回転方向に同じ角度で回転する。そして、軸部５６が回転して傾斜板１３を同じ回転方向に回転する。また回転操作部５５ａの回転方向を反対方向とすることで傾斜板１３の傾斜方向を反対方向に回転することができる。さらに、歯車５４の歯数を傾斜板１３ごとに変更して、傾斜板１３ごとに回転角度を変えることができる。また、回転操作部５５ａを貯留槽１１の外に設けることにより、貯留槽１１を使用している際にも、傾斜板１３の回転が可能である。
さらに、調整支持部材５２を外部からの信号等により作動させるようにして、傾斜板１３の一部又は全部を回転・移動を行うようにして、外部から操作できるようにしてもよい。また、貯留槽１１の被処理水の流入量などの条件と連動して、傾斜板１３の回転及び／又は移動が行われるものでもよい。
【００９３】
上記した仕切構造の傾斜板１３に、開口を設けて、開口によって上下層１８，１９を連通させることもできる。開口によって、被処理水の流れが変化して、浮遊物の沈殿が効果的に分離することができる。
【００９４】
また、貯留槽１１の上流側流入口６１付近に多数の通孔を有する整流板を設け、また、後述する上流側調整空間８０により水勢を弱めて、被処理水の流れを整流して、貯留槽１１内で乱流が生じることを防止することもできる。
【００９５】
また、上記した仕切構造１，２，３，４の傾斜板１３の傾斜面１７は、水面に対して傾斜し、主流方向と平行に配置されており、また、貯留槽１１の側壁面２１に対して傾斜したものであったが、図１６，図１８に示される本発明の第５の実施形態である仕切構造５のような配置でも構わない。すなわち、仕切構造５は、傾斜面１７が水面に対して傾斜し、貯留槽１１の側壁面２１に対して垂直であり、また、主流方向に対して傾斜している。
【００９６】
仕切構造５には、複数の傾斜板１３が設けられており、傾斜面１７が同一の方向に、ほぼ同じ角度で傾斜するように配置している。そして、傾斜板１３の同士は略平行に等間隔に水平方向に並設されている。
また、図１７に示されている本発明の第６の実施形態である仕切構造６のように、隣り合う傾斜板１３の傾斜方向を反対方向として、側壁面２１側から見て略Ｖ字状にとすることもできる。
【００９７】
仕切構造５，６の、それぞれの傾斜板１３は、両側の側壁面２１と連結している。したがって、貯留槽１１の中途部に梁体２０などを設けることなく、傾斜板１３を支持することが可能となる。
仕切構造５，６は側壁面２１に固定されているが、前記した仕切構造１，２，３，４の傾斜板１３のように、調整支持部材３９を設けて傾斜板１３を回転及び／又は移動可能に支持するものでも良い。また、上流側流入口６１が下層側に設けられているが、上層側に設けても良い。
【００９８】
さらに、仕切構造の傾斜板１３の配置を仕切構造５ａ，５ｂように、上下方向に併設することができる。図１９に示される仕切構造５ａは、傾斜板１３が水面に対して垂直方向に上下に併設されている。また、図２０に示される仕切構造５ｂは、傾斜板１３が傾斜面１７に沿って上下に併設されている。
【００９９】
次に、傾斜板１３や貯留槽内部等が破損しにくい貯留槽について説明する。
図２１に示される本発明の第７の実施形態である貯留槽１２ａは、上流側流入口６１から傾斜板１３に至るまでの間に、上流側調整空間８０が設けられている。上流側調整空間８０には、複数の開口が設けられて、上層１８側につながる上層流出開口８１と、下層１９側につながる下層流出開口８２が設けられている。また、上流側調整空間８０は上流側流入口６１とつながっている。なお、上層流出開口８１及び下層流出開口８２の形状はどのようなものでも良く、円、楕円、三角形、正方形、長方形、その他の多角形などの形状とすることができ、また複数設ける場合には、その配置はどのような配置でも構わない。
【０１００】
貯留槽１２ａを使用する際には、被処理水が上流側水路から上流側調整空間８０を通って、上層流出開口８１又は下層流出開口８２より貯留槽１２ａの内部に流れ込む。このとき、貯留槽１２ａ内に被処理水が無い又は少ない場合には、より下方の開口から貯留槽１２ａ内部に流れるので、主に下層流出開口８２から流れ込み、また、貯留槽１２ａ内に被処理水が溜まって、水位が上昇すると主に上層流出開口８１から流れ込む。
【０１０１】
したがって、貯留槽１２ａ内に被処理水が無い又は少ない場合には、被処理水が上層側から傾斜板１３に接触しないので、被処理水の落下による衝撃により傾斜板１３が破損することがない。また、貯留槽１２ａ内に被処理水が溜まると、被処理水が上層流出開口８１から流れ込むので、下層１９側の流れが乱れることがないので、下層１９側に沈殿している被処理水の浮遊物が巻きあがることが少ない。
【０１０２】
なお、貯留槽１２ａには、越流トラフ８５が設けられて、越流トラフ８５内に流れ込んだ被処理水が下流側水路に流出する。越流トラフ８５は、図２９の様に、上面が開口面である箱状であり、前記開口面の縁部分には、鋸刃状の越流板８５ａが設けられている。そして、貯留槽１２ａの水位が上昇して、開口面の縁部分の越流板８５ａを超えて流れ込み、さらに、被処理水が矢印の方向に流れて下流側流出口に至る。図３０，図３１は、傾斜板１３の支持構造が異なるものであるが、同様に越流トラフ８５から被処理水が矢印の方向に流れて、下流側水路に流出する。
【０１０３】
図２２に示される貯留槽１２ｂのように、上流側調整空間８０を大きくすることにより、貯留槽１２ｂ内に被処理水が無い又は少ない場合に多量の被処理水が流入した場合でも、上流側調整空間８０に溜まるので、上層流出開口８１から流出しにくい。
また、貯留槽１２ｂでは上流側流入口６１の位置が貯留槽の上層１８付近の高さに固定して設けられているものであったが、図２３に示される貯留槽１２ｃのように、上流側流入口６１の位置を変更することが可能であり、被処理水の水位に応じて、上流側流入口６１の位置が変わる構成とすることもできる。したがって、被処理水の落下による衝撃を防ぐことができる。
さらに、上流側流入口６１の位置を貯留槽１２ｃの下層１９付近の高さに固定して設ける構成として、上流側調整空間８０内に被処理水がない場合に上流側調整空間８０が被処理水の落下による衝撃により破損を防止することもできる。
【０１０４】
また、図２４に示される貯留槽１２ｄのように、上流側調整空間８０内に流路調整装置８６を設けても良い。流路調整装置８６は、左右方向に平行な軸を中心として回転することができる開閉部８９が設けられ、水位に応じて開閉を行うものである。この開閉部８９は、ヒンジ等の回転によって行うものでもよく、また引き戸方式等のスライドによって行うものでも良い。また、開閉部８９の開閉操作は、手動で行うものでも良く、電動で行うものでも良く、浮力を利用して自動で行うものでも良い。浮力を利用する例としては、開閉部８９の密度が被処理水の密度よりも小さい材料を用い、流路調整装置８６の位置よりも水位が上昇すると開閉部８９に浮力が発生して回転し、上流側調整空間８０内の流路を閉じて被処理水の流れを妨げるものである。
【０１０５】
流路調整装置８６によって、上流側水路から流れ込んだ被処理水は、主に上層流出開口８１から貯留槽１２ｄ内に流入する。また、水位が低いときには、流路調整装置８６が回転せず、上流側調整空間８０内の流路を開くので、被処理水は下層流出開口８２から貯留槽１２ｄ内に流入する。
【０１０６】
図２５に示される貯留槽１２ｅのように、上流側調整空間８０の上層流出開口８１及び下層流出開口８２を図２７に示されるように深さ方向に多数設け、さらに、上層流出開口８１又は下層流出開口８２が、開口内を通過する被処理水の流れを偏向させるような向きとして、整流作用を付与するものとしてもよい。言い換えると、上層流出開口８１及び下層流出開口８２の設けられた部分を整流板８７として使用するものである。また整流板８７は、平板を上下方向に配して平板同士の間に隙間を設けるがらり戸状のものや、貫通孔を多数開けた多孔板や、スリット状のものや、その他の公知技術の整流板を用いることができる。
さらに、上層流出開口８１及び下層流出開口８２の位置を図２８に示されるように、幅方向に部分的に設けることもでき、この場合には安価に施工できる。
上層流出開口８１及び下層流出開口８２は、上記した配置に限られるものではなく、貯留槽１２ｅの大きさ、被処理水の流量などの条件により変更して沈殿効果を高めることができる。
【０１０７】
図２６に示される貯留槽１２ｆは、上流側調整空間８０内に落下水緩衝部８８が設けられたものである。落下水緩衝部８８は、上流側調整空間８０内に設けられている。そして、貯留槽１２ｆ内の被処理水の水位が低い場合に上流側流入口６１から被処理水が流入して落下する際の流路に設けられている。被処理水が落下水緩衝部８８に接触すると、被処理水の運動エネルギーを他のエネルギーに変え、又は運動エネルギーを分散して上流側調整空間８０の底部８０ａに着水する際の衝撃を緩和する。また貯留槽１２ｆの水位が高い場合には被処理水の流れを妨げるので、浮遊物の沈殿の巻き上がりを防止することができる。落下水緩衝部８８の具体例としては、適当な向きに設けられた邪魔板や棒状の部材などがある。
【０１０８】
さらに、上記した貯留槽１２ａ，１２ｂ，１２ｃ，１２ｄ，１２ｅ，１２ｆの仕切構造に、前記した仕切構造１，２，３，４，５，５ａ，５ｂ，６を用いた貯留槽も採用することができる。この場合、上層流出開口８１及び下層流出開口８２の被処理水の流出状況によって、傾斜板１３の回転・移動を行うことにより、さらに効率的な浮遊物の沈殿が可能となる。
【０１０９】
また、貯留槽に上流側調整空間８０を設けずに、上流側流入口６１を上層１８側と下層１９側に配置されるように複数設け、貯留槽の外部で被処理水の調整を行うものでもよい。本貯留槽においても前記した仕切構造１，２，３，４，５，５ａ，５ｂ，６を用いた貯留槽も採用することができる。
【０１１０】
【発明の効果】
本発明は、上述の通り構成されているので、被処理水に混入する浮遊物を、貯留槽内に流れ込む被処理水の流入量や、被処理水中の浮遊物の内容や含有量等の条件が変化しても、最適な状態で沈殿させることが可能である。また、本発明は、貯留槽の中途部に梁体など設けなくても、傾斜板が固定できる。さらに、本発明は、被処理水が落下による衝撃によって傾斜板や貯留槽内部が破損し難い安価な貯留槽を提供することができる。
【図面の簡単な説明】
【図１】本発明の第１の実施形態における仕切構造を拡大した斜視図である。
【図２】本発明の第１の実施形態における仕切構造の上側から見た正面図である。
【図３】図２におけるＡ−Ａ面での断面図である。
【図４】本発明の第１の実施形態における仕切構造の横断面図である。
【図５】本発明の第２の実施形態における仕切構造の横断面図である。
【図６】本発明の第１の実施形態の仕切構造の傾斜板群を示した横断面図である。
【図７】本発明の仕切構造の第２の傾斜板群を示した横断面図である。
【図８】本発明の仕切構造の第３の傾斜板群を示した横断面図である。
【図９】本発明の仕切構造の第４の傾斜板群を示した横断面図である。
【図１０】本発明の仕切構造の第５の傾斜板群を示した横断面図である。
【図１１】本発明の第３の実施形態における仕切構造の横断面図である。
【図１２】本発明の第４の実施形態における仕切構造の横断面図である。
【図１３】本発明の傾斜板の断面図である。
【図１４】本発明の調整支持部材を示した斜視図である。
【図１５】傾斜板の回転の軸の位置を示した断面図である。
【図１６】本発明の第５の実施形態の仕切構造を示した斜視図である。
【図１７】本発明の第６の実施形態の仕切構造を示した斜視図である。
【図１８】本発明の第５の実施形態の仕切構造の傾斜板を側壁面側から見た断面図である。
【図１９】本発明の第５の実施形態の変形例における仕切構造の傾斜板を側壁面側から見た断面図である。
【図２０】本発明の第５の実施形態の変形例における仕切構造の傾斜板を側壁面側から見た断面図である。
【図２１】本発明の第７の実施形態の貯留槽を側壁面から見た断面図である。
【図２２】本発明の第８の実施形態の貯留槽を側壁面から見た断面図である。
【図２３】本発明の第９の実施形態の貯留槽を側壁面から見た断面図である。
【図２４】本発明の第１０の実施形態の貯留槽を側壁面から見た断面図である。
【図２５】本発明の第１１の実施形態の貯留槽を側壁面から見た断面図である。
【図２６】本発明の第１２の実施形態の貯留槽を側壁面から見た断面図である。
【図２７】本発明の第１１の実施形態の貯留槽の傾斜板を下流側流出口側から見た断面図である。
【図２８】本発明の第１１の実施形態の変形例における貯留槽の傾斜板を下流側流出口側から見た断面図である。
【図２９】本発明の実施形態の貯留槽の斜視図である。
【図３０】本発明の実施形態の貯留槽の斜視図である。
【図３１】本発明の実施形態の貯留槽の斜視図である。
【図３２】従来技術における貯留槽の斜視図である。
【図３３】従来技術における貯留槽の斜視図である。
【符号の説明】
１，２，３，４，５，５ａ，５ｂ　仕切構造
１１，１２ａ，１２ｂ，１２ｃ，１２ｄ，１２ｅ，１２ｆ　貯留槽
１３，１３ａ，１３ｂ，１３ｃ，１３ｄ，１３ｅ，１３ｆ　傾斜板
１４　上方側縁
１５　下方側縁
１７　傾斜面
１８　上層
１９　下層
２１　側壁面
３９，５２　調整支持部材
５０，５０ａ，５０ｂ，５０ｃ，５０ｄ，５０ｅ　傾斜板群
６１　上流側流入口
６２　下流側流出口
７１，７２，７４，７６，７７　隙間
８０　上流側調整空間
８１　上層流出開口
８２　下層流出開口
８６　流路調整装置
８８　落下水緩衝部
８９　開閉部
９０　阻流体
【図１】
2004105859.tif 000003
【図２】
2004105859.tif 000004
【図３】
2004105859.tif 000005
【図４】
2004105859.tif 000006
【図５】
2004105859.tif 000007
【図６】
2004105859.tif 000008
【図７】
2004105859.tif 000009
【図８】
2004105859.tif 000010
【図９】
2004105859.tif 000011
【図１０】
2004105859.tif 000012
【図１１】
2004105859.tif 000013
【図１２】
2004105859.tif 000014
【図１３】
2004105859.tif 000015
【図１４】
2004105859.tif 000016
【図１５】
2004105859.tif 000017
【図１６】
2004105859.tif 000018
【図１７】
2004105859.tif 000019
【図１８】
2004105859.tif 000020
【図１９】
2004105859.tif 000021
【図２０】
2004105859.tif 000022
【図２１】
2004105859.tif 000023
【図２２】
2004105859.tif 000024
【図２３】
2004105859.tif 000025
【図２４】
2004105859.tif 000026
【図２５】
2004105859.tif 000027
【図２６】
2004105859.tif 000028
【図２７】
2004105859.tif 000029
【図２８】
2004105859.tif 000030
【図２９】
2004105859.tif 000031
【図３０】
2004105859.tif 000032
【図３１】
2004105859.tif 000033
【図３２】
2004105859.tif 000034
【図３３】
2004105859.tif 000035